(57)【要約】【課題】装置の多機能化、通信の高品位化、安全性の向上の少なくとも一つに優れた移動式無線通信装置を提供する。【解決手段】通信相手からの音声を出力するスピーカを収納する第１の筐体と、外部装置と通信するアンテナ部を収納し、前記第１の筐体に対して折り曲げ可能に前記第１の筐体に結合された第２の筐体とを有することを特徴とする移動式無線通信装置を提供する。【選択図】  図１
2004297590.tif 000002
【特許請求の範囲】
【請求項１】
通信相手からの音声を出力するスピーカを収納する第１の筐体と、
外部装置と通信するアンテナ部を収納し、前記第１の筐体に対して折り曲げ可能に前記第１の筐体に結合された第２の筐体とを有することを特徴とする移動式無線通信装置。
【請求項２】
通信相手からの音声を出力するスピーカを収納する第１の筐体と、
前記スピーカに関して、通信情報を入力するための操作部とは反対側に設けられ、前記第１の筐体に対して折り曲げ可能に前記第１の筐体に結合された第２の筐体とを有することを特徴とする移動式無線通信装置。
【請求項３】
通信相手からの音声を出力するスピーカを収納する第１の筐体と、
外部装置と通信するアンテナ部を収納し、前記第１の筐体に対して移動又は変位可能に前記第１の筐体に結合された第２の筐体とを有することを特徴とする移動式無線通信装置。
【請求項４】
前記第２の筐体を跳ね上げる機構を更に有することを特徴とする請求項１又は２記載の移動式無線通信装置。
【請求項５】
通信相手からの音声を出力するスピーカを収納する第１の筐体を有する移動式無線通信装置の製造方法であって、
前記第１の筐体に対して折り曲げ可能に前記第１の筐体に結合可能であって、前記移動式無線通信装置の機能を拡張するための異なる種類の機能拡張部材をそれぞれ収納する複数の種類の第２の筐体を作成するステップと、
前記複数の種類の第２の筐体の一つを前記第１の筐体に取り付けるステップとを有することを特徴とする方法。
【発明の詳細な説明】
【０００１】
【産業上の利用分野】
本発明は、一般には、電子機器に係り、特に、携帯電話（ＰＤＣ：パーソナルディジタルセルラー）、パーソナル・ハンディホン・システム（ＰＨＳ）、その他の移動通信端末（本出願においては、これらを「移動式無線通信装置」と総称する。）に関する。
【０００２】
【従来の技術】
近年の携帯電話などの移動式無線通信装置の普及に伴い、これらの移動式無線通信装置は単に通信を行えるだけにとどまらず、筐体の小型化、装置の多機能化、通信の高品位化及び多機能化、並びに、安全性の向上など様々な需要がある。
【０００３】
従来の携帯電話の一例を以下、図８及び図９に示す。ここで、図８（ａ）は、従来の携帯電話１０の正面図、図８（ｂ）は、その背面図、図８（ｃ）は、その側面図である。図９は、携帯電話１０の使用方法を説明するための側面図である。
【０００４】
図８に示すように、携帯電話１０は、筐体１１の上部にスピーカ１２及び表示部１３を、筐体１１の下部に操作部１４及びマイク１５を、筐体１１上部に突出した、線材をコイル状に巻いて形成したヘリカルアンテナ１５を、筐体１１内部に内蔵アンテナ１７を、筐体１１の背面下部に電池１８を有する。内蔵アンテナ１６は、板金等で形成されたパッチアンテナ、多層基板内に形成されたチップ多層アンテナ若しくは誘電体で形成されたチップ誘電体アンテナ等を含む。このように、アンテナ部材は、通話時の安定した通話状態を維持するため、付近に障害物の極力少ない携帯電話１０の筐体１１上部に突出及び内蔵されているのが一般的である。
【０００５】
使用に際しては、ユーザは、図９に示すように、携帯電話１０を耳元に当て、スピーカ１２とマイク１５を利用して通話を行う。また、通話時にサイドトーン機能を高めるために、フリッパを使用することも知られている（例えば、特許文献１、２及び３）。通信の多機能化としてはＧＰＳやＢｌｕｅｔｏｏｔｈ機能の追加が、また、装置の多機能化としてはカメラ機能の追加が既に知られている。
【特許文献１】
特開２００１−１０２８３３号公報（図１の開閉式蓋部１１）
【特許文献２】
特開２００１−３５８５１４号公報（図１のフリッパ１５）
【特許文献３】
特開２００２−６４３２９号公報（図１のフリッパ７）
【０００６】
【発明が解決しようとする課題】
しかし、図９に示すように、携帯電話１０のアンテナ部材１４及び１６はユーザの頭部に近く、頭部で電波が吸収や反射しやすいために、通信特性が劣化して高品位な通信が必ずしも得られないという問題を有する。また、人体の特定部位に吸収される電力（ＳＡＲ（Ｓｐｅｃｉｆｉｃ  Ａｂｓｏｒｐｔｉｏｎ  Ｒａｔｅ：比吸収率）が増加するという安全上の問題もある。更に、ＧＰＳやＢｌｕｅｔｏｏｔｈ通信などの多機能化に伴ってアンテナ部品増加、及び、カメラなどの無線機以外の多機能化による部品増加により、基板実装領域が拡大することによって、筐体１１が大型化するという問題もある。その一方で、筐体１１の小型化が進むと、アンテナ部材が表示部１３、操作部１４、電池１８などためのプリント基板に近接するため、アンテナ特性及び当該他の回路の特性劣化を招くおそれもある。
【０００７】
そこで、本発明は、装置の多機能化、通信の高品位化、安全性の向上の少なくとも一つに優れた移動式無線通信装置を提供することを例示的な目的とする。
【０００８】
【課題を解決するための手段】
かかる目的を達成するために、本発明の一側面としての移動式無線通信装置は、通信相手からの音声を出力するスピーカを収納する第１の筐体と、外部装置と通信するアンテナ部を収納し、前記第１の筐体に対して折り曲げ可能に前記第１の筐体に結合された第２の筐体とを有することを特徴とする。かかる移動式無線通信装置は、第１の筐体に対して第２の筐体を傾斜するため、スピーカを耳元に当てるユーザの頭部に対して第２の筐体を傾斜して離間することができる。これにより、ＳＡＲを減少することができる。また、電波がユーザの頭部で反射及び吸収する量を減少することができる。
【０００９】
前記移動式無線通信装置は、通信情報を入力するための操作部を更に有し、前記第２の筐体は前記スピーカに関して前記操作部とは反対側に設けられてもよい。ユーザは通常は操作部の背面を持つためにそこから遠い方がユーザの手による電波の反射や吸収を低減することができる。前記第２の筐体は、例えば、前記第１の筐体から９０度乃至１３５度の範囲内の角度に設定される。ユーザの頭部と第１の筐体を把持する手による電波の反射や吸収を低減するために、かかる角度が好ましい。
【００１０】
本発明の別の側面としての移動式無線通信装置は、通信相手からの音声を出力するスピーカを収納する第１の筐体と、前記スピーカに関して、通信情報を入力するための操作部とは反対側に設けられ、前記第１の筐体に対して折り曲げ可能に前記第１の筐体に結合された第２の筐体とを有することを特徴とする。かかる移動式無線通信装置によれば、第２の筐体を設けることにより、従来は第１の筐体には入りきらなかった部品を第２の筐体に収納して多機能化を図ることができる。その一方で、第２の筐体は第１の筐体に折り畳み可能なので装置全体のコンパクト性はそれほど損なわれない。
【００１１】
前記第２の筐体は、例えば、ＧＰＳ用のアンテナ、Ｂｌｕｅｔｏｏｔｈ用のアンテナ、撮像装置などを収納することができる。前記移動式無線通信装置は、前記第１の筐体に、通信情報を表示するための表示部を更に有していてもよい。通常の移動式無線通信装置は、表示部がアンテナ部によって大きさの制限を受けているために、両者を別体にすることによって表示部を大きくすることができるという効果を有する。
【００１２】
前記第２の筐体を跳ね上げる機構を更に有してもよい。前記第２の筐体は前記第１の筐体に対して回動自在に結合し、前記機構は、前記第１の筐体から離れる方向に前記第２の筐体を付勢する付勢部と、前記第２の筐体を前記第１の筐体に係止する係止部と、第１の位置と第２の位置とを移動可能な移動部であって、当該移動部は第２の位置から第１の位置に復帰する方向に付勢され、前記移動部は前記第２の位置にあるときに前記係止部による前記第２の筐体の係止を解除し、前記第１の位置にあるときに前記係止部が前記台２の筐体を係止することを可能にする移動部とを有してもよい。前記移動部は、例えば、プッシュボタンのように、前記第１の筐体に設けられていてもよい。
【００１３】
本発明の更に別の側面としての移動式無線通信装置は、通信相手からの音声を出力するスピーカを収納する第１の筐体と、外部装置と通信するアンテナ部を収納し、前記第１の筐体に対して移動又は変位可能に前記第１の筐体に結合された第２の筐体とを有することを特徴とする。かかる移動式無線通信装置によれば、第２の筐体は第１の筐体に対して変位又は移動することができるので、アンテナ部によるＳＡＲを低減することができる。必要があれば、第２の筐体は第１の筐体に対して着脱式であってもよい。
【００１４】
本発明の更に別の側面としての移動式無線通信装置の製造方法は、通信相手からの音声を出力するスピーカを収納する第１の筐体を有する移動式無線通信装置の製造方法であって、前記第１の筐体に対して折り曲げ可能に前記第１の筐体に結合可能であって、前記移動式無線通信装置の機能を拡張するための異なる種類の機能拡張部材をそれぞれ収納する複数の種類の第２の筐体を作成するステップと、前記複数の種類の第２の筐体の一つを前記第１の筐体に取り付けるステップとを有することを特徴とする。かかる方法は、複数の種類の第２の筐体の中から一つを第１の筐体に取り付けるため、ユーザは、自分の希望する機能拡張部品を備えた第２の筐体が取り付けられた移動式無線通信装置を選択することができる。換言すれば、本発明の製造方法は、多種多様なユーザの嗜好に合致する移動式無線通信装置を製造することができる。拡張される機能は、例えば、ＧＰＳ通信機能、Ｂｌｕｅｔｏｏｔｈ通信機能などの通信機能のみならず、撮像機能、読取機能、印字機能、記憶機能などを含むものである。
【００１５】
本発明の他の目的と更なる特徴は、以下、添付図面を参照して説明される実施の形態において明らかになるであろう。
【００１６】
【発明の実施の形態】
以下、添付図面を参照して、本発明の一実施形態としての移動式無線通信装置について説明する。本実施形態では、携帯電話１００をかかる移動式無線通信装置の一例として説明する。ここで、図１（ａ）は、携帯電話１００の平面図、図１（ｂ）は、その背面図、図１（ｃ）は、その側面図である。
【００１７】
携帯電話１００は、筐体１１０と、フリッパ１２０とを有する。フリッパ１２０は、開閉機構１３０を介して筐体１１０に折り曲げ可能に結合されている。以下、図２乃至図４を参照してフリッパ１２０の開閉機構について説明する。ここで、図２は、フリッパ１２０が開口した状態を示す携帯電話１００の斜視図であり、図３は、携帯電話１００の背面から見た分解斜視図である。
【００１８】
筐体１１０は、例えば、樹脂から射出成形によって形成され、孔１１１及び１１２、凹部１１３、係合部１１４、貫通孔１１５、係止部１１６を有する。必要があれば、携帯電話１００の筐体１１０は、更に、表示部１６２を有する可動部と、操作部１６４を有する固定部という２つの別個の筐体から構成して、両者は折り畳み可能な構造を有していてもよい。また、筐体１１０の下部には、図示しない別のフリッパが設けられてサイドトーン機能を強化してもよい。
【００１９】
孔１１１は、筐体１１０の背面中央に設けられ、フリッパ１２０の留め具１２２が挿入される。孔１１１は、本実施形態では矩形形状であるが、フリッパ１２０の留め具１２２を係止できる限り、その形状、大きさ及び位置は問わない。
【００２０】
孔１１２は、筐体１１０の側面に設けられ、ボタン１３２が挿入される。孔１１２は、本実施形態ではユーザが携帯電話１００を把持した手（例えば、右手）の親指で、携帯電話１００を持ち直さずに、操作可能な位置に設けられているが、本発明は、孔１１２の形状、大きさ及び位置を限定するものでない。筐体１１０の内部には孔１１２の付近に係止部１１６が設けられている。係止部１１６は、ボタン補助バネ１３８と係合する固定軸であり、その形状、大きさ及び位置は限定されない。
【００２１】
係合部１１４は、筐体１１０の背面上端に設けられ、両側に凹部１１３が形成され、内部には貫通孔１１５を形成する。係合部１１４の貫通孔１１５には、ダンパ１４０が回転自在に挿入される。係合部１１４の凹部１１３は、ダンパ１４０が両端でフリッパ１２０の両側の張り出し部１２４の孔１２５に係合することを可能にする。凹部１１３は、張り出し部１２４の円筒面１２５に類似した円筒面の形状を有している。なお、本実施形態では、係合部１１４とダンパ１４０を別体に構成しているが、両者は一体であってもよい。
【００２２】
フリッパ１２０は、筐体１１０とは別個の筐体であり、例えば、樹脂から射出成形によって形成される。フリッパ１２０は、筐体１１０に対して開閉可能に筐体１１０に結合している。図１（ｃ）においては、フリッパ１２０は、筐体１１０の背面に接続されているが、筐体１１０の前面に接続されていてもよい。フリッパ１２０は、筐体１１０において操作部１６４から離れた端部に形成されている。これは、ユーザは通常は操作部１６４の背面を持つために、操作部１６４から遠い方がユーザの手による電波の反射や吸収を低減することができるからである。但し、本発明は、フリッパ１２０の位置を限定するものではない。
【００２３】
本実施形態では、フリッパ１２０は、図１（ｃ）に示すように、下から上に開口可能であるが、本発明は、開口の方向を限定するものではない。即ち、後述するように、ＳＡＲを低減するという趣旨からは、フリッパ１２０は筐体１１０から離れれば従来の構成よりも低減するため、例えば、ヒンジ部はフリッパ１２０の上部でなく下部であってもよいし、側部であってもよい。また、この趣旨からは、フリッパ１２０は筐体１１０に対して回転する必要はなく、筐体１１０に対して直線的に伸び縮みする構成であってもよい。例えば、筐体１１０にフリッパ１２０が移動可能なレールを設けるなどである。フリッパ１２０が直線的に移動する場合の移動は本実施形態のように自動であってもよいし手動であってもよい。
【００２４】
本実施形態のフリッパ１２０は、留め具１２２と、一対の張り出し部１２４とを有する。留め具１２２は、フリッパ１２０の背面の末端部に設けられ、フリッパ１２０が筐体１１０に係合することを可能にする。留め具１２２は、例示的に鉤型形状を有するが、その大きさ、位置及び形状は限定されない。
【００２５】
一対の張り出し部１２４は、フリッパ１２０の基部の両端に設けられ、ほぼ円筒形状を有する。かかる円筒形状の円筒面１２５が、図２に示すように、凹部１１３に嵌合して凹部１１３上で回転することができる。一対の張り出し部１２４の間隔は、係合部１１４の幅よりも若干広く設定され、張り出し部１２４が筐体１１０上で回転する際に係合部１１４に接触して円滑な回転が妨げられないように構成されている。一対の張り出し部１２４は、対向する面にそれぞれ係合孔１２６を有する。係合孔１２６はダンパ１４０と係合し、ダンパ１４０と共に回転する。
【００２６】
このように、張り出し部１２４は、フリッパ１２０を筐体１１０に対して回転することを可能にする。本実施形態では、フリッパ１２０は、その両端に設けられた一対の張り出し部１２４を利用して回転するが、フリッパ１２０は張り出し部１２４の中央に別の回転部材を有し、張り出し部１２４の代わりに又は張り出し部１２４と共に回転することを妨げるものではない。
【００２７】
開閉機構１３０は、フリッパロック部材１３１と、ボタン補助バネ１３８と、ダンパ１４０とを有する。フリッパロック部材１３１は、一端にボタン１３２を有し、他端にフリッパ係合部１３４を有する棒状部材である。フリッパロック部材１３１は、フリッパ１２０をロック及びロック解除する機能を有し、筐体１１０の孔１１２に挿入されている。
【００２８】
ボタン１３２は、筐体１１０の側面から突出し、ユーザがフリッパ１２０を開口する場合に操作される。ボタン１３２は、図１（ａ）及び図１（ｂ）に示す、筐体１１０に対して突出した位置と、筐体１１０内に退避した位置との間で移動可能に筐体１１０に設けられている。ボタン１３２は、ボタン補助バネ１３８の係合部１３８とその背面で係合し、ボタン補助バネ１３８によって突出位置に付勢されている。この結果、筐体１１０方向に押圧されても自動的に突出位置に復帰する。ボタン補助バネ１３８は、係止部１１６に係止されており、ボタン１３２を押圧しているが、バネの形状はバネ１３８に限定されない。例えば、一端が筐体１１０に係合し、他端がボタン１３２に係合する圧縮バネとして構成されてもよい。
【００２９】
フリッパ係合部１３４は、ボタン１３２が突出位置にあるときに留め具１２２と係合してフリッパ１２０を閉位置にロックし、折り畳まれたフリッパ１２０を図１（ｃ）に実線で示すように保持する。また、フリッパ係合部１３４は、ボタン１３２が退避位置にあるときに留め具１２２との係合を解除してフリッパ１２０が開口することを許容する。なお、フリッパ１２０の留め具１２２とフリッパ係合部１３４は、ボタン１３２が突出位置にあるときに両者が係合可能で、退避位置にあるときに両者が係合を解除可能であれば、その形状は問わない。
【００３０】
ダンパ１４０は、筐体１１０から離れる方向にフリッパ１２０を付勢する機能を有し、円筒形状を有して筐体１１０の係合部１１４の貫通孔１１５に収納される。ダンパ１４０は、図４に示すように、ダンパケース１４１と、回転軸１４２と、ねじりコイルバネ１４４と、ロータリオイルダンパ部１４６とを有する。ここで、図４は、ダンパ１４０の透過斜視図である。
【００３１】
ダンパケース１４１は、中空の円筒形状を有し、両端には回転軸１４２が突出する一対の孔が開いている。回転軸１４２は、ほぼ円筒形状を有し、ダンパケース１４１に対して回転可能にダンパケース１４１に設けられている。回転軸１４２は、両端が径が小さい円筒形状を有してダンパケース１４１から突出し、その先端は断面矩形形状に加工されてフリッパ１２０の係合孔１２６に係合し、フリッパ１２０と共に回転する。
【００３２】
ねじりコイルバネ１４４は、一端が回転軸１４２に係合し、他端がダンパケース１４１に係合し、ダンパケース１４１に対して回転した回転軸１４２を元に戻す方向に回転軸１４２を付勢する。ロータリオイルダンパ部１４６は、内部にブレーキオイルが入っており、フリッパ１２０の開口動作を制動して跳ね上げ速度を減少し、フリッパ１２０が開口時に衝撃を受けないようにする機能を有する。
【００３３】
筐体１１０は、メインプリント基板１６０と、スピーカ１６１と、表示部１６２と、操作部１６４と、マイクロフォン１６６と、電池１６８を有する。
【００３４】
メインプリント基板１６０は、図５に示すように、筐体１１０内に設けられており、スピーカ１６０と、表示部１６２と、操作部１６４と、マイクロフォン１６６と、電池１６８に接続され、これらの部材を制御又は処理に必要な回路を含んでいる。ここで、図５は、携帯電話１００の透過斜視図である。
【００３５】
スピーカ１６１は、通信相手からの音声を出力する。スピーカ１６１はユーザの耳元に当てられる。表示部１６２は、通信情報（送信情報、着信情報、アドレス帳情報、操作部１６４によって入力された情報、各種機能情報など）を表示するＬＣＤである。操作部１６４は、例えば、タッチパネル、テンキー、ファンクションキー、電源スイッチ、リセットスイッチを含む。マイクロフォン１６６は、通信相手への音声を入力する。電池１６８は二次電池を内蔵する。これらの部材には、当業界で周知のいかなる技術をも適用することができるので、ここでは詳しい説明は省略する。
【００３６】
フリッパ１２０内には、サブプリント基板１７０と、送受信用アンテナ１７１と、内蔵受信アンテナ１７２と、ＧＰＳアンテナ１７３と、Ｂｌｕｅｔｏｏｔｈアンテナ１７４と、サブプリント基板１７０をメインプリント基板１６０に接続するための接続部１７５とを有する。
【００３７】
サブプリント基板１７０は、図５に示すように、フリッパ１２０内に設けられており、送受信用アンテナ１７１と、内蔵受信アンテナ１７２と、ＧＰＳアンテナ１７３と、Ｂｌｕｅｔｏｏｔｈアンテナ１７４と、接続部１７５に接続されている。サブプリント基板１７０は、音声信号処理部、ＧＰＳ信号処理部、Ｂｌｕｅｔｏｏｔｈ信号処理部などを含んでいる。
【００３８】
送受信用アンテナ１７１は、フリッパ１２０から突出し、線材をコイル状に巻いて形成したヘリカルアンテナであってもよいし、その他のアンテナ（誘電体アンテナ）であってもよい。内蔵受信アンテナ１７２は、板金等で形成されたパッチアンテナ、多層基板内に形成されたチップ多層アンテナ、又は、誘電体で形成されたチップ誘電体アンテナ等であってもよい。誘電体アンテナは、フリッパ１２０の小型化に寄与しえる。また、アンテナ部１７１及び１７２を共に内蔵アンテナにすることによって設計の自由度を増加することもできる。アンテナ部１７１及び１７２は、メインプリント基板１６０から離れているために、アンテナ特性の劣化や基板１６０の劣化などを招かない。
【００３９】
ＧＰＳアンテナ１７３はＧＰＳ通信に使用され、Ｂｌｕｅｔｏｏｔｈアンテナ１７４はＢｌｕｅｔｏｏｔｈを利用した通信に使用される。また、フリッパ１２０は、カメラ、スキャナ、各種カードが着脱可能に挿入される挿入口が形成されてもよい。接続部１７５は、例えば、基板間のケーブル線やフレキシブルプリント基板から構成される。ケーブルは、例えば、高周波信号の伝達に使用される同軸ケーブルである。フレキシブルプリント基板は、例えば、各種制御信号の伝達に使用される。サブプリント基板１７０に接続された接続部１７５は、ダンパ１４０内を通ってメインプリント基板１６０に接続される。サブプリント基板１７０はメインプリント基板１６０と通信を行い、メインプリント基板１６０によって制御される。
【００４０】
このように、本実施形態の携帯電話１００によれば、従来は一つであった筐体１１を２つの筐体１１０及び１２０に分けている。フリッパ１２０を設けることにより、従来は筐体１１には入りきらなかった部品をフリッパ１２０に収納して携帯電話１００の多機能化を図ることができる。その一方で、フリッパ１２０は筐体１１０に折り畳み可能なので携帯電話１００全体のコンパクト性はそれほど損なわれない。
【００４１】
従来は筐体１１に入るべき部品をフリッパ１２０に配置することによって筐体１１０の小型化を図ることができる。フリッパ１２０は、配置される部材も限定されないため、スピーカ１６１、表示部１６２、操作部１６４、マイクロフォン１６６、電池１６８の一又は複数がフリッパ１２０に設けて筐体１１０を小型にしてもよい。代替的に、この場合に筐体１１０の大きさはそのままにして筐体の１１０の各部を大型にしてもよい。例えば、表示部１６２を大きくするなどである。
【００４２】
また、通常の携帯電話１０は、表示部１３がアンテナ１６によって大きさの制限を受けているために、本実施形態の携帯電話１００のように、表示部１６１とアンテナ部１７１を別体にすることによって表示部１６１を大きく作成することができるという効果を有する。
【００４３】
フリッパ１２０が収納する部品、即ち、多機能化を図ろうとする部品は上述したＧＰＳアンテナ１７３などに限定されない。例えば、筐体１１０に対して、異なる機能拡張部品を収納した複数の種類のフリッパ１２０を組み合わせることによって、ユーザの嗜好に応じた携帯電話１００を作成することができる。
【００４４】
この場合、携帯電話１００の製造は、その機能を拡張するための異なる種類の機能拡張部材をそれぞれ収納する複数の種類のフリッパ１２０を作成するステップと、複数の種類のフリッパ１２０の一つを筐体１１０に取り付けるステップとを有する。
【００４５】
かかる方法は、複数の種類のフリッパ１２０の中の一つを筐体１１０に取り付けるため、ユーザは、自分の希望する機能拡張部品を備えたフリッパ１２０が取り付けられた携帯電話１００を選択することができる。かかる製造方法は、多種多様なユーザの嗜好に合致する移動式無線通信装置を製造することができる。拡張される機能は、例えば、ＧＰＳ通信機能、Ｂｌｕｅｔｏｏｔｈ通信機能などの通信機能のみならず、カメラなどの撮像機能、スキャナなどの読取機能、プリンタなどの印字機能、メモリなどの記憶機能、セキュリティ機能などを含むものである。
【００４６】
なお、本実施形態では、角度Ｐを０度から１８０度としているが、本発明はフリッパ１２０が１８０度以上回転することを妨げるものではない。特に、カメラ機能がフリッパ１２０に取り付けられる場合には、フリッパ１２０を１８０度以上回転することによって自分を表示部１６２で確認しながら撮像できるので便宜である。
【００４７】
以下、図１及び図６を参照して、携帯電話１００の動作について説明する。ここで、図６は、携帯電話１００の使用を説明するための側面図である。図１（ｃ）の点線及び図６に示すように、携帯電話１００を使用する際は、ユーザは、ボタン１３２を押してフリッパ１２０を筐体１１０から跳ね上げる。
【００４８】
これにより、図６に示すように、フリッパ１２０とユーザの頭部との距離Ｌ２は、図９に示すアンテナ１６とユーザの頭部との距離Ｌ１よりも大きくなる。このため、ユーザにとってはＳＡＲが減少し、ユーザにとってはＳＡＲが減少するので安全性が向上する。また、携帯電話１００にとってはユーザの頭部によって電波が反射及び吸収する量が低減するので、通信特性の劣化が減少して高品位な通信を確保することができる。
【００４９】
図１に示すように、フリッパ１２０が開口時に筐体１１０に対してなす角度Ｐは、９０度乃至１３５度の範囲内に設定されることが好ましい。通信特性の劣化は、ユーザの頭部による電波の反射及び吸収のみならず、筐体１１０を把持する手による電波の反射や吸収にも起因する。このため、傾斜角度Ｐが９０度よりも小さいとユーザの頭部による影響を少なくすることはできてもユーザの手による影響の増加を招くからである。このため、両者の影響を効果的に低減するためには上記角度が好ましい。
【００５０】
ユーザが携帯電話１００のＧＰＳ通信機能を使用する場合にも、図７に示すように、フリッパ１２０を開口する。ここで、図７は、携帯電話１００のＧＰＳ通信機能を説明するための側面図である。従来の携帯電話１０がＧＰＳアンテナを有する場合には、典型的に、筐体１１の背面にＧＰＳアンテナ１９を設置する。このため、ユーザは、鉛直方向にあるＧＰＳ衛星基地局からの情報を受信する際にはＧＰＳアンテナ１９を鉛直上向きに向けなければならない。このため、ユーザは、表示部１３を見ながら、若しくは、操作部１４を操作しながらＧＰＳ通信を行うことが困難であった。
【００５１】
これに対して、本実施形態の携帯電話１００においては、ユーザは、フリッパ１２０を跳ね上げるだけで、表示部１６２を見ながら、若しくは、操作部１６４を操作しながらＧＰＳ通信を行うことができるので操作性に優れている。
【００５２】
以上、本発明の好ましい実施形態を説明したが、本発明はその要旨の範囲内で種々の変形及び変更が可能である。例えば、本実施形態では、フリッパ１２０を筐体１１０に回転可能に接続する機構は、ボタン式以外の他の構造を使用してもよい。例えば、ノートブック型パーソナルコンピュータのヒンジ機構のように手動で開閉する機構や、フリッパ１２０を一度筐体１１０に向かって押すとフリッパ１２０が固定され、再度フリッパ１２０を筐体１１０に向かって押すとフリッパ１２０が筐体１１０から飛び出すプッシュプッシュ機構などである。
【００５３】
本出願は更に以下の事項を開示する。
【００５４】
（付記１）  通信相手からの音声を出力するスピーカを収納する第１の筐体と、外部装置と通信するアンテナ部を収納し、前記第１の筐体に対して折り曲げ可能に前記第１の筐体に結合された第２の筐体とを有することを特徴とする移動式無線通信装置。
【００５５】
（付記２）  前記移動式無線通信装置は、通信情報を入力するための操作部を更に有し、前記第２の筐体は前記スピーカに関して前記操作部とは反対側に設けられることを特徴とする付記１記載の移動式無線通信装置。
【００５６】
（付記３）  前記第２の筐体は、前記第１の筐体から９０度乃至１３５度の範囲内の角度に設定されることを特徴とする付記１記載の移動式無線通信装置。
【００５７】
（付記４）  前記第１の筐体に、通信情報を表示するための表示部を更に有することを特徴とする付記１記載の移動式無線通信装置。
【００５８】
（付記５）  通信相手からの音声を出力するスピーカを収納する第１の筐体と、前記スピーカに関して、通信情報を入力するための操作部とは反対側に設けられ、前記第１の筐体に対して折り曲げ可能に前記第１の筐体に結合された第２の筐体とを有することを特徴とする移動式無線通信装置。
【００５９】
（付記６）  通信相手からの音声を出力するスピーカを収納する第１の筐体と、外部装置と通信するアンテナ部を収納し、前記第１の筐体に対して移動又は変位可能に前記第１の筐体に結合された第２の筐体とを有することを特徴とする移動式無線通信装置。
【００６０】
（付記７）  前記第２の筐体は、全地球測位システム用のアンテナを収納することを特徴とする付記１、５及び６のうちいずれか一項記載の移動式無線通信装置。
【００６１】
（付記８）  前記第２の筐体は、ブルートゥース用のアンテナを収納することを特徴とする付記１、５及び６のうちいずれか一項記載の移動式無線通信装置。
【００６２】
（付記９）  前記第２の筐体は、撮像装置を収納することを特徴とする付記１、５及び６のうちいずれか一項記載の移動式無線通信装置。
【００６３】
（付記１０）  前記第２の筐体を跳ね上げる機構を更に有することを特徴とする付記１、５及び６のうちいずれか一項記載の移動式無線通信装置。
【００６４】
（付記１１）  前記第２の筐体は前記第１の筐体に対して回動自在に結合し、前記機構は、前記第１の筐体から離れる方向に前記第２の筐体を付勢する付勢部と、前記第２の筐体を前記第１の筐体に係止する係止部と、第１の位置と第２の位置とを移動可能な移動部であって、当該移動部は第２の位置から第１の位置に復帰する方向に付勢され、前記移動部は前記第２の位置にあるときに前記係止部による前記第２の筐体の係止を解除し、前記第１の位置にあるときに前記係止部が前記台２の筐体を係止することを可能にする移動部とを有することを特徴とする付記１０記載の移動式無線通信装置。
【００６５】
（付記１２）  前記移動部は前記第１の筐体に設けられていることを特徴とする付記１１記載の移動式無線通信装置。
【００６６】
（付記１３）  通信相手からの音声を出力するスピーカを収納する第１の筐体を有する移動式無線通信装置の製造方法であって、前記第１の筐体に対して折り曲げ可能に前記第１の筐体に結合可能であって、前記移動式無線通信装置の機能を拡張するための異なる種類の機能拡張部材をそれぞれ収納する複数の種類の第２の筐体を作成するステップと、前記複数の種類の第２の筐体の一つを前記第１の筐体に取り付けるステップとを有することを特徴とする方法。
【００６７】
【発明の効果】
以上説明したように、本発明によれば、装置の多機能化、通信の高品位化、安全性の向上の少なくとも一つに優れた移動式無線通信装置を提供することができる。
【図面の簡単な説明】
【図１】本発明による一実施形態の携帯電話の平面図、背面図及び側面図である。
【図２】図１に示す携帯電話の背面斜視図である。
【図３】図２に示す携帯電話の分解斜視図である。
【図４】図３に示すダンパの透過斜視図である。
【図５】図１に示す携帯電話の透過斜視図である。
【図６】図１に示す携帯電話の使用を説明するための側面図である
【図７】図１に示す携帯電話のＧＰＳ通信機能を説明するための側面図である。
【図８】従来の携帯電話の正面図、背面図及び側面図である。
【図９】図８に示す従来の携帯電話の使用を説明するための側面図である。
【符号の説明】
１００              携帯電話（移動式無線通信装置）
１１０              筐体
１１１、１１２      孔
１１３              凹部
１１４              係合部
１１５              貫通孔
１２０              フリッパ
１２２              留め具
１２４              張り出し部
１２５              円筒面
１２６              係合孔
１３０              開閉機構
１３２              ボタン
１３４              フリッパ鉤状物
１３６              フリッパロック部材
１３８              ボタン補助バネ
１４０              ダンパ
１６０              メインプリント基板
１６１              スピーカ
【図１】
2004297590.tif 000003
【図２】
2004297590.tif 000004
【図３】
2004297590.tif 000005
【図４】
2004297590.tif 000006
【図５】
2004297590.tif 000007
【図６】
2004297590.tif 000008
【図７】
2004297590.tif 000009
【図８】
2004297590.tif 000010
【図９】
2004297590.tif 000011